(57)【要約】【課題】駆動用のモータに負担をかけることなく、結露しにくいようにし、着霜によりダンパが凍結して開閉できなくなるのを防ぐことができる冷蔵庫を提供する。【解決手段】冷蔵庫１は、冷蔵庫本体２に冷気の送風を制御するためのダンパ３０が配置され、ダンパ３０は、フレーム３２と、フレーム３２に配置される開閉板３３と、フレーム３２に配置されるヒータ２００と、ヒータ２００の配置されていない部分であって、開閉板であるダンパ板３３側に設けられる断熱材としての断熱保持部材３４と、を有している。【選択図】図８
2014134358.tif 000002
【特許請求の範囲】
【請求項１】
冷蔵庫本体に冷気の送風を制御するためのダンパが配置されている冷蔵庫であって、
前記ダンパは、
フレームと、
前記フレームに配置される開閉板と、
前記フレームに配置されるヒータと、
前記ヒータの配置されていない部分であって、前記開閉板側に設けられる断熱材と、を有していることを特徴とする冷蔵庫。
【請求項２】
前記開閉板を開閉動作させるモータを有し、前記ヒータは断面Ｕ字型を有し、前記断熱材は、前記モータを覆っていることを特徴とする請求項１に記載の冷蔵庫。
【請求項３】
前記フレームは、別の断熱材で覆われていることを特徴とする請求項１または２に記載の冷蔵庫。
【請求項４】
前記ダンパが配置されており、冷却器側から貯蔵室側へ熱が移動しないようにするために熱遮蔽構造を有していることを特徴とする請求項１ないし３のいずれかに記載の冷蔵庫。
【請求項５】
前記開閉板に配置されたシール材は、前記冷却器側に配置されていることを特徴とする請求項４に記載の冷蔵庫。
【請求項６】
前記開閉板は、前記貯蔵室側に開放されることを特徴とする請求項４または５に記載の冷蔵庫。
【請求項７】
前記モータは、前記貯蔵室側に設けられていることを特徴とする請求項４ないし６のいずれかに記載の冷蔵庫。
【請求項８】
前記モータは上部に設けられ、前記開閉板は傾斜して設けられていることを特徴とする請求項１ないし７のいずれかに記載の冷蔵庫。
【請求項９】
前記フレームは、前記冷却器と前記貯蔵室とを結ぶ方向について、前後方向に傾斜されていることを特徴とする請求項８に記載の冷蔵庫。
【発明の詳細な説明】
【技術分野】
【０００１】
本発明の実施の形態は、冷蔵庫に関する。
【背景技術】
【０００２】
冷蔵庫としては、冷気ダクトの一部に、冷蔵室に通じる開口を設けて、この開口には、ダンパとこのダンパの駆動モータを設置して、この駆動モータを駆動することでダンパが開口を開閉する構造が、特許文献１に開示されている。このダンパが長時間にわたり閉塞状態であっても、着霜によりダンパが凍結して開閉できなくなるのを防ぐために、ダンパを開閉させずに駆動モータのコイルに対して長時間にわたって通電して発熱するようになっている。
【先行技術文献】
【特許文献】
【０００３】
【特許文献１】特開２００９−２２２３０７号
【発明の概要】
【発明が解決しようとする課題】
【０００４】
ところで、特許文献１に記載の冷蔵庫では、ダンパを開閉させずに駆動モータのコイルに通電して発熱するので、長時間にわたって駆動モータには負担がかかってしまう。
【０００５】
本発明は、上記に鑑みてなされたもので、その目的とするところは、駆動用のモータに負担をかけることなく、結露しにくいようにし、着霜によりダンパが凍結して開閉できなくなるのを防ぐことができる冷蔵庫を提供することにある。
【課題を解決するための手段】
【０００６】
本発明の実施の形態の冷蔵庫は、冷蔵庫本体に冷気の送風を制御するためのダンパが配置されている冷蔵庫であって、前記ダンパは、フレームと、前記フレームに配置される開閉板と、前記フレームに配置されるヒータと、前記ヒータの配置されていない部分であって、前記開閉板側に設けられる断熱材と、を有していることを要旨とする。
【図面の簡単な説明】
【０００７】
【図１】本発明の実施形態に係わる冷蔵庫の全体を示す斜視図である。
【図２】図１に示す冷蔵庫の本体の内部における冷気の循環経路の例を矢印で示す図である。
【図３】図２に示す冷凍室ゾーンＦＺのÅ−Ａ線における断面構造例を示す図である。
【図４】図２に示す冷凍室ゾーンＦＺのÅ−Ａ線における断面構造例を示す図である。
【図５】断熱部材と冷凍室用ダンパを示す分解斜視図である。
【図６】断熱部材の後側部材と冷凍室用ダンパを組み立てた状態を示す図である。
【図７】冷凍室用ダンパの前面側を示す図である。
【図８】冷凍室用ダンパの構造例を示す斜視図である。
【図９】冷凍室用ダンパの構造例を示す断面図である。
【図１０】冷蔵庫の制御系統例を示す図である。
【図１１】冷凍用ダンパの他の実施形態を示す図である。
【発明を実施するための形態】
【０００８】
以下、図面を用いて、本発明の実施するための形態（以下、実施形態と称する）を説明する。
【０００９】
図１は、本発明の実施形態に係わる冷蔵庫１の全体を示す斜視図である。
【００１０】
図１に示す冷蔵庫１は、本体２を有している。この本体２の最上部の位置には、両開き式の左右の観音扉（回転扉）３，４で開閉される冷蔵室５を設けられている。これらの観音扉３，４は、それぞれ本体２の回転軸３Ａ，４Ａを中心にして開閉可能に取り付けられている。
【００１１】
図１に示す冷蔵室５の下側には、引出し式扉７ａで開閉される野菜室７が設けられている。この野菜室７の下側には、製氷室８と上部冷凍室９が横方向に並んで設けられている。製氷室８は引出し式扉８ａで開閉され、上部冷凍室９は引出し式扉９ａで開閉される。
【００１２】
図１に示す本体２の最下部であって、これらの製氷室８と上部冷凍室９の下側には、主冷凍室１０が設けられている。主冷凍室１０は引出し式扉１０ａで開閉される。観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１３】
このように、図１に示す冷蔵庫１の本体２のレイアウトとしては、最も上段には冷蔵室５が配置され、この冷蔵室５の下部には野菜室７が配置され、さらにこの野菜室７の下部には製氷室８と上部冷凍室９が配置され、しかも製氷室８と上部冷凍室９の下部には主冷凍室１０が配置されている。これらの製氷室８と上部冷凍室９と主冷凍室１０は、冷凍室ゾーンＦＺを構成している。
【００１４】
図２は、図１に示す冷蔵庫１の本体２の内部における冷気の循環経路例を矢印で示している。
【００１５】
図２に示す冷凍室ゾーンＦＺには、冷却器カバー１１が配置されている。この冷蔵庫１は、例えば冷蔵室５の冷却と、野菜室７の冷却と、冷凍室ゾーンＦＺの冷却を、１台のエバポレータにより冷却されて得られる冷気を用いて行う１エバポレータタイプの冷蔵庫である。後で説明する冷却器と送風機は、最下段の冷凍室ゾーンＦＺの後方位置に配置されている。冷却器で作り出される冷気とは、低温の空気である。
【００１６】
図２に示すように、本体２は、冷蔵室冷却ダクトを有している。この冷蔵室冷却ダクトは、冷却器で作り出される冷気を、送風機の動作により矢印Ｐ１で示すように最上段の冷蔵室５の収容室に送り、冷蔵室５の収容室に送られた冷気を、その後矢印Ｐ２で示すように野菜室７の収容室を通過して、冷却器へ戻すことができる。このように、冷蔵室５へ冷気を送るための制御は、冷蔵温度センサにより得られる冷蔵室内の冷蔵室温度に従って、冷蔵室用ダンパ７０を開閉することにより実施される。
【００１７】
さらに、本体２は、冷凍室冷却ダクトを有している。この冷凍室冷却ダクトは、冷却器で作り出される冷気を、送風機の動作により矢印Ｐ３、Ｐ４、Ｐ５、Ｐ６で示すように、冷凍室ゾーンＦＺの収容室に送り、そして矢印Ｐ７で示すように、冷凍室ゾーンＦＺの収容室内から冷却器へ戻すことができる。冷凍室冷却ダクトは、冷却器を覆う冷却器カバー１１を用いて冷凍室ゾーンＦＺへ冷気を吹き出すようになっている。このように、冷凍室ゾーンＦＺへ冷気を送るための制御は、冷凍温度センサにより得られる冷凍室ゾーンＦＺ内の冷凍室温度に従って、冷凍室用ダンパ３０を開閉することにより実施される。
【００１８】
図３と図４は、図２に示す冷凍室ゾーンＦＺのＡ−Ａ線における断面構造例を示している。図３では、冷凍室用ダンパ３０は閉じた状態であり、冷気は冷凍室ゾーンＦＺには供給されないようになっている。図４では、冷凍室用ダンパ３０は完全に開いた状態になっており、冷気が冷凍室ゾーンＦＺには供給される。
【００１９】
図３と図４では、冷凍室ゾーンＦＺを構成している製氷室８と上部冷凍室９と主冷凍室１０を示している。冷凍室ゾーンＦＺの後方には、冷却器２０と送風機２１等が配置されている。冷却器カバー１１には、送風機２１と冷却器２０が取り付けられている。送風機２１は、冷却器２０の上方に位置され、送風機２１の前方には、冷凍室用ダンパ３０と断熱部材４０が配置されている。図３と図４に示すように、冷却器２０と送風機２１が、中段の野菜室７の後方ではなく、最下段の冷凍室ゾーンＦＺの後方に配置されている。
【００２０】
図３と図４に示すように、この断熱部材４０の上部には、開口部４１が設けられている。この開口部４１には、冷凍室用ダンパ３０がはめ込んで配置されている。断熱部材４０の内部には、冷凍ダクト９８が形成されている。断熱部材４０では、冷凍ダクト９８の端部が中間位置の冷気吹出口４４と下部位置の冷気吹出口４５となっている。断熱部材４０は、冷気吹出口４４，４５の他に、製氷室用の冷気吹出口４６を有する。製氷室用の冷気吹出口４６は、冷気吹出口４４の上部に位置され、冷気吹出口４４は冷気吹出口４５の上部に位置されている。
【００２１】
図３と図４では、断熱部材４０は、Ｚ方向（上下方向）に沿って、冷却器２０の前方に配置されており、冷却器２０により作られ冷気を、冷凍室ゾーンＦＺの収容室内に矢印Ｐ３、Ｐ６、Ｐ５に沿って吹き出すようになっている。なお、送風機２１の下流側と冷凍室用ダンパ３０との間に形成されている空間は、圧力室９９である。
【００２２】
図４に示すように、開口部４１は、送風機（ファン）２１の回転中心軸ＣＬよりも上部に配置されている。すなわち、この開口部４１に配置されている冷凍室用ダンパ３０は、送風機２１の回転中心軸ＣＬよりも上部に位置されている。これにより、冷凍室ダンパ３０を冷凍室ゾーンＦＺの後方に配置する際に、図１に示す冷凍室である製氷室８と上部冷凍室９と主冷凍室１０の収容室内へ冷気を送風するための風路（ダクト）の形成するのを妨げないようにすることができる。
【００２３】
次に、上述した断熱部材４０と、冷凍室用ダンパ３０の好ましい構造例を、図５ないし図７を参照して説明する。
【００２４】
図５は、断熱部材４０と冷凍室用ダンパ３０を示す分解斜視図である。図６は、断熱部材４０の後側部材５１と冷凍室用ダンパ３０を組み立てた状態を示し、図６（Ａ）は、この冷凍室用ダンパ３０が閉じた状態を示し、図６（Ｂ）は、冷凍室用ダンパ３０が開いた状態を示している。図７は、冷凍室用ダンパ３０の前面側を示す図である。
【００２５】
図５から図７に示す冷凍室用ダンパ３０は、冷凍室ゾーンＦＺの収容室内への冷気の送風を制御する。図５に示すように、断熱部材４０は、前側部材５０と後側部材５１を有している。断熱部材４０の前側部材５０と後側部材５１は、好ましくは形状を維持するためのプラスチック製のケース体と、このケース体の内側に配置された断熱材料、例えばＥＰＳ（発泡スチロール）とにより構成されている。図３と図４に示すように、前側部材５０は、冷凍室ゾーンＦＺの冷凍空間ＦＲ寄りの位置に配置され、後側部材５１は、冷却器２０と送風機２１寄りの位置に配置されている。
【００２６】
図５に示すように、断熱部材４０の前側部材５０は、ほぼ直方体形状の部材であり、製氷室用の冷気吹出口４６と、上部冷凍室用の冷気吹出口４９と、主冷凍室用の冷気吹出口４４，４５，４５と、冷気吸込み口５９を有している。製氷室用の冷気吹出口４６と、上部冷凍室用の冷気吹出口４９は、前側部材５０において、最も上部の位置に形成されており、同じ高さ位置に並べて形成されている。上部冷凍室用の冷気吹出口４９は、上部の中央位置に形成されているが、製氷室用の冷気吹出口４６は、上部冷凍室用の冷気吹出口４９の横側の位置に形成されている。
【００２７】
図５に示すように、主冷凍室用の冷気吹出口４４は、前側部材５０の中央位置に形成され、２つの主冷凍室用の冷気吹出口４５，４５は、主冷凍室用の冷気吹出口４４よりもさらに下の位置に、左右に振り分けて形成されている。冷気吸込み口５９は、主冷凍室用の冷気吹出口４５，４５の間に形成されている。冷気吸込み口５９は、主冷凍室１０の収容室内の冷気を、図３の冷却器２０側に戻すために形成されている。
【００２８】
断熱部材４０の後側部材５１は、ほぼ直方体形状の部材であるが、前側部材５０よりは上下方向の寸法が小さくなっている。後側部材５１は、上部に長方形状で横長の開口部４１を有している。図６に示すように、開口部４１には、長方形状の冷凍室用ダンパ３０がはめ込んで固定されている。
【００２９】
この開口部４１の横には、冷気案内用の凹部６１が形成されている。この冷気案内用の凹部６１は、前側部材５０の製氷室用の冷気吹出口４６に対応した位置に形成されている。
【００３０】
図５に示すように、後側部材５１は、開口部４１の下側に、Ｚ方向（鉛直方向）に対してわずかな角度で前側に傾斜した冷気案内面６２を有している。この冷気案内面６２は、図４に示すように、前側部材５０の冷気案内面６３に対面しており、図４に示すように、冷気案内面６２と前側部材５０の冷気案内面６３は、冷凍室ゾーンＦＺの各室に冷気を導くための冷凍ダクト９８を構成している。
【００３１】
次に、図５と図６に示す冷凍室用ダンパ３０の構造例を説明する。
【００３２】
図５と図６に示すように、冷凍室用ダンパ３０は、縦長の直方体形状の駆動部３１と、長方形状のフレーム３２と、長方形状のダンパ板（開閉板）３３と、断熱保持部材３４を有している。ダンパ板３３は、図６（Ｂ）に示すフレーム３２の長方形の開口３２Ｐ内に配置されている。
【００３３】
断熱保持部材３４は、駆動部３１の外面にはめ込むことで駆動部３１を包囲して断熱保持するために、断面Ｕ型を有している。駆動部３１内には、モータと、モータの出力軸の回転をダンパ板３３の回転に変えるためのギア等の駆動機構を収容している。断熱保持部材３４は、ＥＰＳ（発泡スチロール）等の軽量な断熱材料により形成されている。
【００３４】
図７に示すように、ダンパ板３３の上端辺部は、フレーム３２の軸部３５を中心として、回転中心Ｍを中心に回動自在に保持されている。これにより、制御部１００の指令により駆動部３１内に配置されているモータＭＴを駆動することで、ダンパ板３３は、図６（Ａ）に示す閉鎖状態から、Ｒ１方向に９０度回転して、図６（Ｂ）に示す開いた状態にすることができる。逆に、ダンパ板３３は、図６（Ｂ）に示す開いた状態から、Ｒ２方向に９０度回転することで図６（Ａ）に示す閉鎖状態に戻すことができる。このダンパ板３３は、Ｒ１方向とＲ２方向に沿って、複数段階、例えば１０段階の角度で開度を調整することができる。
【００３５】
このように、ダンパ板３３が、フレーム３２の上側にある軸部３５を中心にして上側に持ち上げて回転することで、図６（Ｂ）に示すようにダンパ板３３は、水平に保持できるようになっている。ダンパ板３３が水平に保持されることでフレーム３２の開口３２Ｐが開くと、この開口３２Ｐには、送風機２１により送られてくる冷風が通過し、この冷風は温風に比べて重いので冷風は開口３２Ｐの下側部分を通過することになる。
【００３６】
これにより、冷風が開口３２Ｐを通過しても、上向きに開かれたダンパ板３３は冷風の通過に支障を与えず、ダンパ板３３の存在により邪魔されることがない。このため、冷風は、開口３３Ｐをスムーズに通過することができる。なお、ダンパ板３３は、開閉板あるいはバッフルとも言う。
【００３７】
さらに、図７と図８を参照して、冷凍室用ダンパ３０の構造例を説明する。
【００３８】
図８（Ａ）は、冷凍室用ダンパ３０を斜め前側から見た斜視図であり、図８（Ｂ）は、冷凍室用ダンパ３０を斜め後側から見た斜視図である。
【００３９】
図７と図８に示すように、フレーム３２は、電気絶縁物、例えばプラスチック製の部材である。フレーム３２は、上部分３２Ａと、下部分３２Ｂと、横部分３２Ｃから成り、ほぼＵ字型を有している。この上部分３２Ａと下部分３２Ｂは、Ｘ方向に沿って形成され、横部分３２ＣはＺ方向に形成されている。
【００４０】
図７と図８に示すように、ヒータ２００が、上部分３２Ａと下部分３２Ｂと横部分３２Ｃに渡って、上部分３２Ａと下部分３２Ｂと横部分３２Ｃの背面側に固定されている。この上部分３２Ａと下部分３２Ｂと横部分３２Ｃの背面は、冷凍室ゾーンＦＺ側ではなく。冷却器が配置された室７７側の面である。
【００４１】
このヒータ２００は、上部分３２Ａに配置された第１部分２０１と、下部分３２Ｂに配置された第２部分２０２と、横部分３２Ｃに配置された第３部分２０３を有している。第１部分２０１の端部と第３部分２０３の端部は、制御部１００に接続されており、制御部１００はこのヒータ２００に通電できるようになっている。このヒータ２００は、フレーム３２とダンパ板３３を加熱することができる。
【００４２】
しかし、ヒータ２００は、駆動部３１を加熱しないようになっている。駆動部３１の上部には、モータＭＴが配置されており、このモータＭＴが、制御部１００の指令により駆動されることにより、ダンパ板３３を開閉可能である。図７に示すように、ダンパ板３３と駆動部３１の間には、隙間部分２０５が形成されている。このため、ダンパ板３３の軸部３５の一部が覆われてはおらずに露出している。
【００４３】
図７と図８に示すように、駆動部３１はフレーム３２の端部に固定されており、駆動部３１は冷却器２０が配置されている空間側ではなく、駆動部３１の冷凍室ゾーンＦＺ側に突出して配置されている。駆動部３１の冷凍室ゾーンＦＺの面は、断熱保持部材３４により覆われている。
【００４４】
図８と図５には、断熱保持部材３４が図示されている。この断熱保持部材３４は、すでに述べたように水平断面で見て断面Ｕ字型を有し、第１面部３４Ａと、第２面部３４Ｂと、第３面部３４Ｃを有する。図６に示すように、この断熱保持部材３４は、箱型の駆動部３１にはめ込むことで、図８に示す冷凍室側の第１面部３４Ａと、第２面部３４Ｂと、第３面部３４Ｃは、箱型の駆動部３１の側面部３１Ａ，３１Ｂ、そして正面部３１Ｃをそれぞれ覆うことができる。
【００４５】
このように断熱保持部材３４をはめ込む際には、第１面部３４Ａは、隙間２０５内に差し込まれることにより、この隙間２０５を塞ぐことができる。これにより、軸部３５の一部が露出することがなく、冷気が隙間２０５を通過しないようにして、冷気の遮断と、断熱性能の確保を果たすことができる。
【００４６】
さらに、図８に示すように、フレーム３２は、上部分３２Ａと下部分３２Ｂと横部分３２Ｃには、断熱材３００により覆われている。この断熱材３００は、上部分３２Ａを覆う第１部３０１と、下部分３２Ｂを覆う第２部３０２と、横部分３２Ｃを覆う第３部３０３を有している。第１部３０１は、ヒータ２００の第１部分２０１を覆っており、第２部３０２は、ヒータ２００の第２部分２０２を覆っており、そして第３部３０３は、ヒータ２００の第３部分２０３を覆っている。これにより、ヒータ２００は、電気絶縁物であるフレーム３２と、電気絶縁物である断熱材３００との間に挟まれるようにして、安全に保持されている。
【００４７】
この断熱材３００は、図３に示すように、冷凍室用ダンパ３０が、断熱部材４０の開口部４１にはめ込まれて気密になるように配置される際に、フレーム３２と断熱部材４０との間における気密性能を確保するために設けられている。断熱部材４０には、冷凍室用ダンパ３０が配置されており、断熱部材４０は、冷却器側から貯蔵室側へ熱が移動しないようにするために熱遮蔽構造である。
【００４８】
このため、冷凍室用ダンパ３０は、断熱材３００を用いて、気密的にしかも断熱性能を発揮しながら、断熱部材４０の開口部４１に配置することができる。これにより、冷却器側から送れる冷気が、フレーム３２と開口部４１の周囲部分との間から冷凍室側に漏れることがなく、断熱効果を上げることができる。
【００４９】
図９は、上述した冷凍室用ダンパ３０のさらに詳しい構造例を示している。図９は、冷凍室用ダンパ３０の構造例を示している。
【００５０】
図９に示す冷凍室用ダンパ３０では、フレーム３２は、突き当て部分３８を有している。突き当て部分３８は、冷凍室ゾーンＦＺ側に向けて、すなわち矢印Ｐ４で示す冷気の流れ方向に沿って突出している。ダンパ板３３の内側には、弾性変形可能で断熱性能を有する長方形状のシート３７が貼り付けられている。ダンパ板３３が冷凍用冷気の送風ダクト３９を閉じた状態では、このシート３７は、フレーム３２の突き当て部分３８を突き当てることで、ダンパ板３３が冷凍用冷気の送風ダクト３９を冷気が漏れないように完全に閉じることができる。しかも、シート３７は、ダンパ板３３とフレーム３２の開口３２Ｐにおいて断熱性をも確保することができる。
【００５１】
図３に示すように、室７７は、冷凍室用ダンパ３０が設けられた冷凍ダクト９８によって冷凍室ゾーンＦＺの冷凍空間ＦＲと接続されている。図３に示すように、冷凍室ゾーンＦＺの背面には、冷凍空間４０の庫内温度を測定するための冷凍温度センサＳ２が設けられている。
【００５２】
図１０に示すように、制御部１００は、冷蔵温度センサＳ１、冷凍温度センサＳ２、蒸発器温度センサＳ３等の各種センサから入力される信号や、ＥＥＰＲＯＭ等の不揮発性記録媒体からなるメモリ１６４に記憶された制御プログラムに基づいて、送風機２１、冷蔵室用ダンパ７０、冷凍室用ダンパ３０、圧縮機１７０及び除霜ヒータ１７１の動作を制御する。
【００５３】
このような構成の冷蔵庫１では、制御部１００が、冷蔵温度センサＳ１及び冷凍温度センサＳ２によって検出された冷蔵室５の庫内温度ＴＲと冷凍室の庫内温度ＴＦに基づいて、圧縮機１７０及び送風機２１の駆動と、冷蔵室用ダンパ７０の開閉及び冷凍室用ダンパ３０の開閉を制御することで、冷蔵冷却運転と冷凍冷却運転とを切り替えて交互に実行することができる。これにより、冷凍室用ダンパ３０と冷蔵室用ダンパ７０は、冷凍室ゾーンＦＺと、冷蔵室５内をそれぞれ個別に適正に冷却することができるようになっている。
【００５４】
次に、上述した、冷蔵庫１の動作例を説明する。
【００５５】
図１と図２に示す冷蔵庫１の冷却運転は、冷凍冷却運転、冷蔵冷却運転、冷蔵冷凍冷却運転等を有する。
【００５６】
冷凍冷却運転では、図４に示す冷凍室ゾーンＦＺの冷却を行う。冷凍冷却運転では、図４に示す冷却器２０を動作させ、送風機２１をオンし、図２に示す冷蔵室ダンパ７０を閉鎖状態にし、図４に示すように冷凍室ダンパ３０を適切な角度で開成状態にする。
【００５７】
冷蔵冷却運転では、図２に示す冷蔵室５の冷却を行う。冷蔵冷却運転では、図４に示す冷却器２０を動作させ、送風機２１をオンし、図２に示す冷蔵室ダンパ７０を開成状態にし、図４に示すように冷凍室ダンパ３０を閉鎖状態にする。
【００５８】
冷蔵冷凍冷却運転では、冷蔵室５と冷凍室ゾーンＦＺの両方の冷却を行う。冷蔵冷凍冷却運転では、図４に示す冷却器２０を動作させ、送風機２１をオンし、図２に示す冷蔵室ダンパ７０を開成状態にし、図４に示すように冷凍室ダンパ３０を適切な角度で開成状態にする。
【００５９】
図３に示すように、本発明の実施形態の冷蔵庫１は、冷蔵庫本体２に冷気の送風を制御するためのダンパ３０が配置されている。図８に示すように、ダンパ３０は、フレーム３２と、フレーム３２に配置される開閉板であるダンパ板３３と、フレーム３２に配置されるヒータ２００と、ヒータ２００の配置されていない部分であって、開閉板であるダンパ板３３側に設けられる断熱材としての断熱保持部材３４とを有している。
【００６０】
このため、フレーム３２にはヒータ２００が配置されており、しかもヒータ２００が配置されていない箇所には、断熱材としての断熱保持部材３４が開閉板であるダンパ板３３側の隙間２０５に設けられている。従って、ヒータ２００はフレーム３２と駆動部３１に渡って全周囲に巻く必要はなく、ヒータ２００が配置されていない箇所は断熱保持部材３４が配置されているので、結露しにくいように断熱できる。駆動用のモータＭＴに通電して発熱させるといった負担を駆動用のモータＭＴにかけることなく、結露しにくいようにし、着霜によりダンパ３０が凍結して開閉できなくなるのを防ぐことができる。
【００６１】
図８に示すダンパ３０は、開閉板であるダンパ板３３を開閉動作させるモータＭＴと有し、ヒータ２００は断面Ｕ字型を有し、断熱材としての断熱保持部材３４は、モータＭＴを覆っている。これにより、フレーム３２とダンパ板３３はヒータ２００により加熱され、モータＭＴは、断熱保持部材３４により断熱されているので、ダンパ板３３が結露することがなく、しかもモータＭＴが冷風により過冷却されてしまうことを防止できる。このため、モータＭＴは、ダンパ板３３の開閉制御が常に確実に行える。
【００６２】
フレーム３２は、例えばパッキンのような断熱材３００で覆われている。これにより、フレーム３２が配置された状態で、フレーム３２の周辺から冷気が漏れることが無く、冷却器のある室７７側から冷凍室の貯蔵室へ熱が移動しないので熱の影響を防ぎ、断熱性能を確保することができ、結露しにくくすることができる。
【００６３】
図５に示す断熱部材４０には、ダンパ３０が配置されており、断熱部材４０は、冷却器側から貯蔵室側へ熱が移動しないようにするために熱遮蔽構造を有している。これにより、冷却器側から貯蔵室側へ熱が移動しないので、断熱性能を確保することができ、結露しにくくすることができる。
【００６４】
図９に例示するように、シール材３７が開閉板としてのダンパ板３３に配置され、このシール座３７は、冷凍室側ではなく冷却器側に配置されているので、ダンパ板３３により開口３２Ｐを閉鎖した場合の断熱性と気密性を高めて、結露しにくくすることができる。
【００６５】
図９に示すように、開閉板としてのダンパ板３３は、例えば冷凍室の貯蔵室（収容室）側に開放される（開く）構成になっているので、冷凍室の貯蔵室（収容室）よりも温度の低い冷却側にダンパ板が開くように構成にするのに比べて、ダンパ板３３が凍結しないように確実に開閉することができる。
【００６６】
図８に示すように、モータＭＴは、冷凍室の貯蔵室（収容室）側に設けられている。これにより、モータＭＴは、冷凍室の貯蔵室（収容室）よりも温度の低い冷却側に設けるのに比べて、冷気の影響を受けにくいので、モータＭＴをスムーズに駆動することができる。
【００６７】
図１１は、本発明の別の実施形態を示している。図１１に示す冷凍室用ダンパ３０Ａは、図８と図９に示す冷凍室用ダンパ３０に代えて、冷蔵庫１に用いることができる。この冷凍室用ダンパ３０Ａは、冷却器２０が配置されている室７７側ではなく、冷凍室ゾーンＦＺの収容室（貯蔵室）側に傾けて設けられている。
【００６８】
冷凍室用ダンパ３０Ａのフレーム３２Ａの上端部は、室７７側に位置し、フレーム３２Ａの下端部は冷凍室ゾーンＦＺ側に位置しており、冷凍室用ダンパ３０Ａは、断熱部材４０の開口部４１において、Ｚ方向（鉛直方向）に対して所定の角度θだけ傾けて配置されている。このため、ダンパ板（バッフルあるいは開閉板ともいう）３３は、閉鎖状態では角度θで傾斜されている。つまり、フレーム３２とダンパ板３３は、冷気が通る方向について前後方向に傾斜されている。しかも、ダンパ板３３を開閉させためのモータＭＴは、上部位置に配置されている。
【００６９】
これにより、モータＭＴが上部に設けられているので、露がモータＭＴに付着するのを防止できる。ダンパ板３３は閉鎖状態では傾斜して設けられているので、ダンパ板３３から水が落下し易いので、露が付着するのを防止できる。
【００７０】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７１】
本発明の各実施形態は、任意に組み合わせて用いることができる。また、図１に示す冷蔵庫１の構造は、一例であり、任意の構造を採用することができる。
【００７２】
図示例の冷蔵庫１は、１台のエバポレータに冷却された冷気を用いて行う１エバポレータタイプの冷蔵庫であるが、これに限らず、他の形式の冷蔵庫であっても良い。
【００７３】
図示例の本発明の実施形態の冷蔵庫１では、冷凍室用ダンパ３０がダンパの適用例であるが、ダンパの適用例としては他の種類のダンパであって良い。
【００７４】
また、図示例の本発明の実施形態の冷蔵庫１では、冷蔵室への冷気の送風制御するための冷蔵室用ダンパと、冷凍室への冷気の送風制御をするための冷凍室用ダンパを有する２ダンパ形式を採用している。しかし、これに限らず、本発明の実施形態の冷蔵庫としては、冷蔵室への冷気の送風制御と冷凍室への冷気の送風制御をするために１つのダンパを備えるものであっても良い。
【符号の説明】
【００７５】
１      冷蔵庫
２      冷蔵庫の本体
５      冷蔵室
７      野菜室
８      製氷室（貯蔵室の例）
９      上冷凍室（貯蔵室の例）
１０    主冷凍室（貯蔵室の例）
３０    冷凍室用ダンパ（ダンパの一例）
３１    駆動部
３２    ダンパのフレーム
３３    ダンパのダンパ板（開閉板、バッファ）
３４    断熱保持部材（モータ用の断熱材）
３７    シール材
４０    断熱部材（熱遮蔽構造）
２００  ヒータ
３００  断熱材（別の断熱材）
ＭＴ    駆動用のモータ
ＦＺ    冷凍室ゾーン
【図１】
2014134358.tif 000003
【図２】
2014134358.tif 000004
【図３】
2014134358.tif 000005
【図４】
2014134358.tif 000006
【図５】
2014134358.tif 000007
【図６】
2014134358.tif 000008
【図７】
2014134358.tif 000009
【図８】
2014134358.tif 000010
【図９】
2014134358.tif 000011
【図１０】
2014134358.tif 000012
【図１１】
2014134358.tif 000013